(57)【要約】      （修正有）【課題】膝関節の通常の動作（膝をひねったりせずに、真っ直ぐ屈曲・伸展などする動作）を行うことができる器具を提供する。また、体の大きさが異なるあらゆる実施者が利用することができる膝関節動作器具を提供する。【解決手段】四以上の長さが異なる支持体（Ｈ型部材、板状部材など）の端部どうしを相互に回転可能に環状に連結した器具であって、一以上の支持体を床面に配置して安定させた状態で、器具の形状を自在に変形し、一つの連結部の床面からの高さを、膝関節動作実施者の大腿骨下端があたるように足を乗せるのに適した高さに調節し、前記連結部に大腿骨下端があたるように足を乗せた状態で、脛骨を動作させることで膝関節を動作させる器具などを提供する。【選択図】図８Ａ
2009268785.tif 000002
【特許請求の範囲】
【請求項１】
四以上の長さが異なる支持体の端部どうしを相互に回転可能に環状に連結し、いずれか一以上の支持体を床面に配置し、床面に配置されていないいずれか二の支持体どうしの連結部に膝の裏側付近があたるように足を乗せて膝関節の運動をすることが可能な膝関節動作器具。
【請求項２】
前記支持体はＨ型部材であり、連結部は、Ｈ字上辺および下辺にそって配置される軸である請求項１に記載の膝関節動作器具。
【請求項３】
前記膝関節動作器具は、四つの長さが異なる支持体の端部どうしを相互に回転可能に多角形状に連結したものである請求項１または２に記載の膝関節動作器具。
【請求項４】
四つの長さが異なる支持体の端部どうしを連結した膝関節動作器具の隣り合う連結部どうしの距離は、１５ｃｍ、３５ｃｍ、４０ｃｍ、３０ｃｍ、であり、また、前記の順に連結したものである請求項３に記載の膝関節動作器具。
【発明の詳細な説明】
【技術分野】
【０００１】
本発明は、膝関節を動作させるために用いる器具に関する。より詳しくは、膝関節部分（大腿骨、脛骨、半月板、など）の位置関係の変位により痛みが生じた際、その位置関係を元に戻すために用いたり、また、その予防のために用いたりするのに適した器具に関する。
【背景技術】
【０００２】
人間の大腿骨と脛骨（図１参照）からなる膝関節面の隙間には、三日月型形状の２つの半月板が存在する。前記半月板は、走ったり、跳ねたりした際に生じる衝撃を分散・吸収したり、屈曲・伸展などの膝関節の動作をスムーズにしたり、膝関節を安定させたりするなどの機能を有する。
【０００３】
このような膝関節の障害（以下、「膝関節障害」という）として、「半月板損傷」、「半月板断裂」、「オスグット病」、「変形性膝関節症」などが知られている。膝関節を構成する大腿骨・脛骨・半月板などが互いに均等に接触し、膝関節を屈曲・伸展などする動作に応じて滑らかに動いていれば前記のような障害は生じない。しかし、骨格は筋肉の働きにより動くが、骨格を内外・前後に動作させるための筋肉の力がそれぞれ異なる場合がある。このような筋力の差や、何らかの要因による筋肉の誤動作、不意に加えられた外力などにより、膝関節面の動きが通常の動作と異なる偏った動作になってしまい、膝関節の接触面全体に均等に力が掛からず、特定部位だけに力が掛かってしまうという不都合が生じうる。その結果、大腿骨・脛骨・半月板などが互いに均等に接触している状態から変位し、特定の部位が詰まったような状態になったりする。そして、当該状態のまま放置しておくと、その部位が摩耗したり、損傷したりしてしまう。さらにひどい場合には、その影響は膝関節の周囲にまで及び、靭帯・腱・筋肉なども損傷してしまうことがある。
【０００４】
前記のような膝関節障害の症状としては、膝関節に詰まったような感じが生じる症状や、膝関節を真っ直ぐに伸ばせない症状、また、痛みを生じるもの、全く痛みを生じないもの、特定の動きをした際に痛みを生じるものなど様々である。
【０００５】
膝関節障害の治療方法は症状により様々であるが、症状が軽い時は、いわゆる保存的治療（薬、サポーター、関節内注射、など）により静観し、症状が重い時は、半月板を切除する等の手術を行ったりする。
【０００６】
ここで、前記保存的治療は、日常生活の中で、膝関節の通常の動作（膝をひねったりせずに、真っ直ぐ屈曲・伸展などする動作）を行うことで、変位した膝関節の位置関係を元の位置（大腿骨・脛骨・半月板などが互いに均等に接触する位置）に戻すことを目的としていると考えられる。しかしながら、痛みを伴う症状の場合、患者は、無意識のうちに患部をかばう様な動作をしてしまう。その結果、膝関節の特定の部位のみに力が掛かってしまい、さらに膝関節の位置関係を変位させ、症状が悪化する恐れがある。また、患部をかばう結果、必要な膝関節の動作を行うことができず、完治に時間がかかってしまう恐れがある。前記のような日常生活の中で無意識に患部をかばう動作は、痛みなどが生じた際に脳から反射的に発せられる命令により引き起こされるものであり、患者が止めようと意識しても当該動作を止めるのは困難である。すなわち、膝関節障害が生じた際には、日常生活の膝関節の通常の動作により膝関節の位置関係を元の位置に戻す手段よりも、治療として、積極的に膝関節の通常の動作など（膝をひねったりせずに、真っ直ぐ屈曲・伸展などする動作）を行わせた方が、より早期に膝関節の位置を元に戻すことができ、その結果、前記のような多種の不快な症状を早期に改善できると考えられる。
【０００７】
また、症状が重い際に半月板を切除するなどの治療が行われているが、本発明者は、症状が重い患者においても、前記のような治療を行い、変位した膝関節の位置関係を元に戻してやることで、その大部分の症状は改善するものと考えている。すなわち、膝関節障害の患者に対しては、通常の膝関節の動作（膝をひねったりせずに、真っ直ぐ屈曲・伸展などする動作）などを積極的に行わせ、変位した膝関節の位置関係を元の位置に戻してやることで、大部分の症状は改善するものと考えられる。そこで、患者が通常の膝関節の動作（膝をひねったりせずに、真っ直ぐ屈曲・伸展などする動作）を積極的に、かつ、体に負担をかけず、容易に行うことができるような器具が望まれる。
【０００８】
膝関節を動作させるための器具としては、例えば、特許文献１や特許文献２のようなものがなされている。特許文献１、特許文献２に記載の発明は、ともに、着座状態において膝関節の屈曲や伸展などの動作を行うことを可能とする器具に関するものである。確かに、前記のような器具により、膝関節動作の実施者は、楽な姿勢で、かつ、膝関節に過度の負担を掛けることなく膝関節の動作を行うことが可能となる。しかしながら、いずれに記載の器具も、大腿骨、脛骨のいずれも固定せずに膝関節の動作を行うように構成されているため、器具を利用した膝関節の動作において関節部分をひねるような動作が生じる可能性がある。かかる動作は、膝関節の位置関係の変位を元の位置に戻すための動作としては不適切なものである。よって、膝関節障害の治療を目的として、前記のような器具を利用して膝関節の動作を行う実施者は、膝関節をひねらないように意識する必要があり、面倒である。
【特許文献１】特開平１１−１２８３９１
【特許文献２】特開２００１−１７８８４７
【発明の開示】
【発明が解決しようとする課題】
【０００９】
そこで、本発明においては、膝関節動作実施者が、容易に、膝関節の通常の動作（膝をひねったりせずに、真っ直ぐ屈曲・伸展などする動作）を行うことができる器具を提供することを課題とする。また、体の大きさが異なるあらゆる実施者が利用することができる膝関節動作器具を提供することを課題とする。
【課題を解決するための手段】
【００１０】
上記課題を解決するための手段として、以下のような発明などを提供する。
【００１１】
四以上の長さが異なる支持体（Ｈ型部材、板状部材など）の端部どうしを相互に回転可能に環状に連結し、連結部に前記回転の回転軸になるように軸を配置した器具であって、一以上の支持体を床面に配置して安定させた状態で、器具の形状を自在に変形し、一つの軸の床面からの高さを、膝関節動作実施者の大腿骨下端があたるように足を乗せるのに適した高さに調節し、当該軸に大腿骨下端があたるように足を乗せた状態で、脛骨を動作させることで膝関節を動作させる器具などを提供する。
【００１２】
具体的には、以下の発明を提供する。
【００１３】
第一発明では、四以上の長さが異なる支持体の端部どうしを相互に回転可能に環状に連結し、いずれか一以上の支持体を床面に配置し、床面に配置されていないいずれか二の支持体どうしの連結部に膝の裏側付近があたるように足を乗せて膝関節の運動をすることが可能な膝関節動作器具を提供する。
【００１４】
第二発明では、第一発明を基本とし、さらに、前記支持体はＨ型部材であり、連結部は、Ｈ字上辺および下辺にそって配置される軸である膝関節動作器具を提供する。
【００１５】
第三発明では、第一発明または第二発明を基本とし、さらに、前記膝関節動作器具は、四つの長さが異なる支持体の端部どうしを相互に回転可能に多角形状に連結したものである膝関節動作器具を提供する。
【００１６】
第四発明では、第三発明を基本とし、さらに、四つの長さが異なる支持体の端部どうしを連結した膝関節動作器具の隣り合う連結部どうしの距離は、１５ｃｍ、３５ｃｍ、４０ｃｍ、３０ｃｍ、であり、また、前記の順に連結したものである膝関節動作器具を提供する。
【発明の効果】
【００１７】
本発明の膝関節動作器具により、膝関節動作実施者は、楽な姿勢で、かつ、容易に、通常の膝関節の動作（膝をひねったりせずに、真っ直ぐ屈曲・伸展などする動作）を行うことが可能となる。その結果、半月板損傷の効果的な治療になるほか、その予防的効果も得ることができる。
【００１８】
また、本発明の膝関節動作器具は、その特徴的な構造により、あらゆる体の大きさの膝関節動作実施者に対応して適当な形状に変形することができるので、一つの器具を、あらゆる体の大きさの膝関節動作実施者が利用することができる。
【発明を実施するための最良の形態】
【００１９】
以下本発明を実施するための最良の形態について、図面を用いて詳細に説明する。なお、本発明はこれら実施の形態になんら限定されるものではなく、その要旨を逸脱しない範囲において種々なる態様で実施しうる。
<本実施形態の概要>
【００２０】
本実施形態の膝関節動作器具の一例を図２の概念図に示す。本実施形態の膝関節動作器具、例えば、図に示すように、四つの支持体（図では、Ｈ型部材）（０２０１）を環状に連結している。その連結手段は、四つの支持体のそれぞれの端部で軸（０２０２）により連結している。すなわち、軸（０２０２）により連結された連結部は回転可能に構成されており、支持体（０２０１）を自在に回転駆動させることで、膝関節動作器具の形状は自在に変形可能に構成されている。
【００２１】
本実施形態の膝関節器具の使用方法の一例としては、図３に示すように、一つ以上の支持体を床に配置し（図では２つの支持体を床に配置）、一つの軸（０３０２（Ａ））の床からの高さを適当な高さに調節し、その軸（０３０２（Ａ））に大腿骨下端があたるように足を載せる。そして、脛骨上端部分を手などで軽く押さえた状態で（図中矢印（ア）で示す向きの力）、脛骨を図中矢印（イ）の向きに動かし（膝関節を伸ばす方向）、膝関節を動作させる。このときの脛骨の動作は、実施者が自己の足の筋肉により動かしてもよいし、自己の手などを用いて動かしてもよい。または、補助者が、手などで実施者の足の脛骨部分を持ち、上下に動かすことで膝関節を動作させてもよい。膝関節動作の実施者は、楽な姿勢（座った状態、寝た状態など）で当該動作を行うことができる。
<本実施形態の構成>
<<膝関節動作器具の構成>>
【００２２】
本実施形態の膝関節動作器具は、四以上の長さが異なる支持体の端部どうしを相互に回転可能に環状に連結して構成される。
<<<支持体>>>
【００２３】
本実施形態の膝関節動作器具は、「四以上の長さが異なる支持体」により構成される。ここて、図４（Ａ）〜（Ｃ）に支持体の一例の概念図を示す。本実施形態の支持体は図４（Ａ）に示すようにＨ型の部材であってもよい。かかる支持体の「長さ」を、図中（ア）で示す。その長さとしては、１５〜５０ｃｍ程度であることが望ましい。また、幅（イ）は、２０〜３０ｃｍ程度、厚さ（ウ）は、２〜３ｃｍ程度であることが望ましい。しかし、長さ、幅、高さ、すべてにおいて、前記範囲に限定されるものではなく、前記で図３を用いて説明したように利用される膝関節動作器具としての機能を果たしうる範囲内であれば、自由に設計可能である。また、掛け渡し部分（０４０１）の部材の幅（エ）は支持体の長さ（ア：１５〜５０ｃｍ）の範囲内で、自由に設計可能である。例えば、その他の部材の幅と同様（２〜３ｃｍ）にしてもよいし、１０ｃｍ、または、１５ｃｍにしてもよい。さらには、支持体の長さと同じに構成し、図４（Ｂ）に示すように、板状の支持体にしてもよい。また、掛け渡し部分（０４０１）の数においても特段制限されず、例えば、図４（Ｃ）に示すように、２本の掛け渡し部分を設けてもよい。さらには、３本、５本の掛け渡し部分を設けてもよい。この時の掛け渡し部分の幅についても、すべての掛け渡し部分の幅の和が支持体の長さ（ア：１５〜５０ｃｍ）を超えない範囲内であれば自由に設計可能である。なお、掛け渡し部分（０４０１）の機能は、足をのせて利用する膝関節動作器具の頑丈さを補強することである。よって、当該機能を達成できるものであれば、その形状は特段制限されず、例えば、タスキ掛け状に掛け渡し部分を構成してもよい。このような支持体は、木材、プラスチック成型品、アルミニウムなどを原料とする軽金属加工品、鉄などを原料とする金属加工品、などを用いて作成することができる。
【００２４】
なお、本実施形態の膝関節動作器具を構成する四以上の支持体は、すべての長さが異なることが望ましい。しかし、四以上の支持体の中に同じ長さの支持体が含まれていてもよい。
<<<支持体どうしの連結>>>
【００２５】
本実施形態の膝関節動作器具は、「四以上の支持体の端部どうしを相互に回転可能に環状に連結」して構成される。「支持体の端部」とは、図４（Ａ）〜（Ｃ）に示した支持体の長さ（ア）方向の両端部分が該当する。「回転可能に支持体どうしを連結」する手段としては、例えば、図５（Ａ）に示すように、ロール状の軸（０５０１）を用いて二つの支持体どうしを回転可能に連結してもよい。図５（Ａ）は、Ｈ型部材である支持体のＨ字上辺または下辺にそって軸（０５０１）を挿し込み配置することで、二つの支持体どうしを回転可能に連結している。かかる場合、支持体どうしは、略３６０度回転可能である。または、図５（Ｂ）に示すように、ちょうつがい（０５０１）を用いて連結してもよい。かかる場合の回転角度は、ちょうつがいの可動域により制限される。
【００２６】
なお、支持体どうしは自由に回転できる必要があるが、任意の角度で固定できる必要がある。よって、支持体どうしの連結は、前記要求を満たす程度の強固さで連結されることが望ましい。もしくは、任意の角度で固定するためのストッパのようなものを設けてもよい。ストッパとしては、例えば、図６に示すように、支持体の側面に折り曲げ不可能に構成されたストッパ棒（０６０１）と、ストッパ棒差込口（０６０２）を設けたものでもよい。これは、任意の角度でストッパ棒（０６０１）をストッパ棒差込口（０６０２）に差し込むと、ストッパ棒がつっかえ棒の役目を果たし、二つの支持体のなす角が任意の角度より小さくなるのを妨げることで、任意の角度を保つものである。
【００２７】
本実施形態の膝関節動作器具は、図５（Ａ）または（Ｂ）に示すような手段により、支持体どうしを回転可能に環状に連結する。図２は、本実施形態の膝関節動作器具の一例であり、四つの支持体（Ｈ型部材）を環状に連結したものである。なお、図２は、四つの支持体を環状に連結した例を示したが、支持体の数は特段制限されず、五つの支持体を環状に連結してもよいし、七つの支持体を環状に連結してもよい。当該数は任意の設計事項である。しかし、膝関節動作器具を利用する時の利便性を考えると、支持体の数は四つ程度であることが望ましい。また、隣り合う連結部どうしの距離（図７（Ａ）、図７（Ｂ）中、（ア）で示す距離）は、器具の利用方法および一般的人間の体の大きさを考慮すると、１５ｃｍから４０ｃｍ程度であることが望ましい。
【００２８】
さらに好ましくは、本実施形態の膝関節動作器具は、図８（Ａ）、（Ｂ）に示すように、四つの支持体から構成され、それらを連結する四つの連結部どうしの距離は、それぞれ、１５ｃｍ、３５ｃｍ、４０ｃｍ、３０ｃｍであり、前記の順になるように環状に連結するのが望ましい。なお、図８（Ｂ）は、図８（Ａ）の膝関節動作器具を側面から見た様子を簡易的に示した概念図である。
<<膝関節動作器具の利用方法>>
【００２９】
本実施形態の膝関節動作器具は、いずれか一以上の支持体を床面に配置し、床面に配置されていないいずれか二の支持体どうしの連結部に膝の裏側付近があたるように足を乗せて膝関節の運動をするよう構成されている。すなわち、床面に配置されたいずれか一以上の支持体は、土台の役目を果たし、床面に配置されていないいずれか二の支持体どうしの連結部は、膝関節動作実施者の足を乗せる部位の役目を果たす。
【００３０】
具体的には、図２に示す膝関節動作器具の場合、二つの支持体を床面に配置し、他の二つの支持体どうしの連結部である軸（０２０２（Ａ））に膝の裏側付近があたるように足を乗せることとなる。図１２に、膝関節動作実施者が膝関節動作器具に足をのせている状態を表す概念図を示す。当該状態から、膝関節動作実施者は自分の足の筋肉を利用して、図中矢印で示す向きに膝から下の足を動かすことで、膝関節の屈曲・伸展の動作を行ってもよい。または、補助者が、膝関節動作実施者の足の膝から下部分を持ち、図中矢印で示す向きに動かしてやることで、実施者の膝関節の屈曲・伸展の動作を行ってもよい。さらには、実施者が、自分の手などで足の膝から下部分を持ち、図中矢印で示す向きに動かしてやることで、膝関節の屈曲・伸展の動作を行ってもよい。前記のような手段で膝関節の動作を行うことで、実施者は、体の他の部分に余計な力を入れず、楽な姿勢で行うことができる。
【００３１】
なお、図１２で示す、使用時の膝関節動作器具の形状はあくまで一例であり、本実施形態の膝関節動作器具は、その他のあらゆる形状に変形して使用することができる。例えば、図８（Ａ）に示すように、一つの支持体を床面に配置し、図に示すような形状で、連結部（０８０２（Ａ））が膝の裏側付近にあたるように足を乗せて使用してもよい。さらには、図９に示すように、一つの支持体を床面に配置し、図に示すような形状で、連結部（０９０２（Ａ））が膝の裏側付近にあたるように足を乗せて使用してもよい（図９は、膝関節動作器具を側面から見た様子を簡易的に示した概念図である）。その他、実施者が楽に足をのせることができるようにするために、あらゆる形状に変形して、膝裏付近があたるように足をのせる連結部の床からの高さを調節することが可能である。
【００３２】
なお、連結部には、膝の裏があたるように足を乗せた際に痛くないよう、保護部材を施してもよい。具体的には、図１０に示すように、連結部である軸（１００２）に、適度の弾力性を有する保護部材（１００３）を覆ってもよい。なお、前記保護部材（１００３）は、布やレザーなどの原料を利用して外カバーを生成し、その内側に、ウレタン性のスポンジや、布の切れ端、羽毛などを詰め込んで適度の弾力性を備えたようなものでもよい。その他の保護部材としては、図１１に示すように、布やビニールなどを連結部に覆い被さるように設けたもの（１１０３）でもよい。なお、図１１は、板状の支持体を用いた膝関節動作器具を例示したが、その他のＨ型部材の支持体を用いた膝関節動作器具においても、同様の保護部材を利用することができる。
<<膝関節障害の治療を目的とした膝関節動作器具の利用方法>>
【００３３】
以下、膝関節障害（「半月板損傷」、「半月板断裂」、「オスグット病」、「変形性膝関節症」など）の治療を目的とした膝関節動作器具の利用方法を説明する。
<膝関節を曲げる動作（図１３（Ａ）、（Ｂ））>
【００３４】
当該動作は、膝関節を曲げる際に痛みが生じるような膝関節障害に対して、効果的な治癒動作である。
【００３５】
まず、膝関節動作器具を床面に配置し、適当な形状に変形した後、図１３（Ａ）に示すように足をのせる。この際、脛骨上端部分が連結部である軸に当たるように足をのせるように注意する。すなわち、脛骨上端部分には、図中矢印（ア）で示すような向きの力が加わっている。そして、大腿骨下端部分に図中矢印（イ）で示すような向きの力が加わるように、大腿骨下端部分を手などで軽く押さえる。
【００３６】
前記状態（図１３（Ａ））のまま、図１３（Ｂ）に示すように、膝から下部分（脛骨）を、膝を折り曲げる方向に動作させる。当該動作は、膝関節動作実施者が自分の足の筋肉を利用して実現してもよいし、補助者が膝関節動作実施者の足の膝から下部分を持って動かすことで実現してもよいし、膝関節動作実施者が自分の手などで足の膝から下部分を持って動かすことで実現してもよい。当該動作の際も、大腿骨下端部分に図中矢印（イ）で示すような向きの力が加わるように、大腿骨下端部分を手などで軽く押さえ続ける。
【００３７】
当該動作は、脛骨上端部分が膝関節動作器具の連結部である軸から受ける図中矢印（ア）の力に反して行うものである。
【００３８】
ここで、膝関節を曲げる動作を行う際に痛みを生じるような症状は、膝関節を曲げる際に、脛骨が筋肉により強く引っ張られ過ぎることにより生じた、膝関節部分（大腿骨、脛骨、半月板、など）の位置関係の変位によるものである。
【００３９】
よって、前記のように、脛骨上端部分に、膝を曲げる動作と反対方向の適度の力（図中矢印（ア））を加えた状態で、膝関節を曲げる動作を行うことで、脛骨が強く引っ張られるのを適度に抑えながら通常の膝関節動作（膝をひねったりせずに、真っ直ぐ曲げる動作）を行うことができる。その結果、変位した半月板の位置などを適切な位置に戻すことを実現する。
<膝関節を伸ばす動作（図１４（Ａ）、（Ｂ））>
【００４０】
当該動作は、膝関節を伸ばす際に痛みが生じるような膝関節障害に対して、効果的な治癒動作である。
【００４１】
まず、膝関節動作器具を床面に配置し、適当な形状に変形した後、図１４（Ａ）に示すように足をのせる。この際、大腿骨下端部分が連結部である軸に当たるように足をのせるように注意する。すなわち、大腿骨下端部分には、図中矢印（ア）で示すような向きの力が加わっている。そして、脛骨上端部分に図中矢印（イ）で示すような向きの力が加わるように、脛骨上端部分を手などで軽く押さえる。
【００４２】
前記状態（図１４（Ａ））のまま、図１４（Ｂ）に示すように、膝から下部分（脛骨）を、膝を伸ばす方向に動作させる。当該動作は、膝関節動作実施者が自分の足の筋肉を利用して実現してもよいし、補助者が膝関節動作実施者の足の膝から下部分を持って動かすことで実現してもよいし、膝関節動作実施者が自分の手などで足の膝から下部分を持って動かすことで実現してもよい。当該動作の際も、脛骨上端部分に図中矢印（イ）で示すような向きの力が加わるように、脛骨上端部分を手などで軽く押さえ続ける。
【００４３】
当該動作は、脛骨上端部分が軽く押さえている手などから受ける図中矢印（イ）の力に反して行うものである。
【００４４】
ここで、膝関節を伸ばす動作を行う際に痛みを生じるような症状は、膝関節を伸ばす際に、脛骨が筋肉により強く引っ張られ過ぎることにより生じた、膝関節部分（大腿骨、脛骨、半月板、など）の位置関係の変位によるものである。
【００４５】
よって、前記のように、脛骨上端部分に、膝を伸ばす動作と反対方向の適度の力（図中矢印（イ））を加えた状態で、膝関節を伸ばす動作を行うことで、脛骨が強く引っ張られるのを適度に抑えながら通常の膝関節動作（膝をひねったりせずに、真っ直ぐ伸ばす動作）を行うことができる。その結果、変位した半月板の位置などを適切な位置に戻すことを実現する。
<本実施形態の効果>
【００４６】
本実施形態の膝関節動作器具により、膝関節動作実施者は、楽な姿勢（座った状態、寝た状態など）で、かつ、容易に、通常の膝関節の動作（膝をひねったりせずに、真っ直ぐ屈曲・伸展などする動作）を行うことが可能となる。その結果、膝関節障害（半月板損傷など）の効果的な治療になるほか、その予防的効果も得ることができる。また、本実施形態の膝関節動作器具は、その特徴的な構造により、あらゆる体の大きさの膝関節動作実施者に対応して適当な形状に変形することができるので、一つの器具を、あらゆる体の大きさの膝関節動作実施者が利用することができる。
【図面の簡単な説明】
【００４７】
【図１】膝関節部分を説明するための図
【図２】本実施形態の膝関節動作器具の一例１
【図３】本実施形態の膝関節動作器具の利用方法を説明する図１
【図４Ａ】本実施形態の支持体の一例１
【図４Ｂ】本実施形態の支持体の一例２
【図４Ｃ】本実施形態の支持体の一例３
【図５Ａ】本実施形態の支持体の連結手段１
【図５Ｂ】本実施形態の支持体の連結手段２
【図６】本実施形態の膝関節動作器具の形状を固定する手段の一例
【図７Ａ】本実施形態の連結部どうしの距離の概念を説明する図１
【図７Ｂ】本実施形態の連結部どうしの距離の概念を説明する図２
【図８Ａ】本実施形態の膝関節動作器具の一例２
【図８Ｂ】本実施形態の膝関節動作器具の一例３
【図９】本実施形態の膝関節動作器具の一例４
【図１０】本実施形態の連結部の保護部材の一例１
【図１１】本実施形態の連結部の保護部材の一例２
【図１２】本実施形態の膝関節動作器具の利用方法を説明する図２
【図１３】本実施形態の膝関節動作器具の利用方法を説明する図３
【図１４】本実施形態の膝関節動作器具の利用方法を説明する図４
【符号の説明】
【００４８】
０２０１        支持体
０２０２        連結部（軸）
【図１】
2009268785.tif 000003
【図２】
2009268785.tif 000004
【図３】
2009268785.tif 000005
【図４Ａ】
2009268785.tif 000006
【図４Ｂ】
2009268785.tif 000007
【図４Ｃ】
2009268785.tif 000008
【図５Ａ】
2009268785.tif 000009
【図５Ｂ】
2009268785.tif 000010
【図６】
2009268785.tif 000011
【図７Ａ】
2009268785.tif 000012
【図７Ｂ】
2009268785.tif 000013
【図８Ａ】
2009268785.tif 000014
【図８Ｂ】
2009268785.tif 000015
【図９】
2009268785.tif 000016
【図１０】
2009268785.tif 000017
【図１１】
2009268785.tif 000018
【図１２】
2009268785.tif 000019
【図１３】
2009268785.tif 000020
【図１４】
2009268785.tif 000021